【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
以下を含む、水流から荷電した汚染物を除去する精製装置：
（ａ）交換可能なカチオンを有する第１のカチオン交換膜及び交換可能なアニオンを有する第１のアニオン交換膜、両者は内壁と外壁を有し、第１のカチオン膜と第１のアニオン膜の内壁はそれらの間に第１の精製流路を規定し、第１のカチオン交換膜と第１のアニオン交換膜は大きな液体流を阻止するが対応する交換可能なイオンと同じ電荷のイオンを通過させ、
（ｂ）第１のカチオン交換膜の外部側壁に第１のカチオン流路を規定する第１のカチオン室、
（ｃ）第１のアニオン交換膜の外部側壁に第１のアニオン流路を規定する第１のアニオン室、
（ｄ）第１のカチオン流路及び第１のアニオン流路とそれぞれ電気的に接続したカソード及びアノード、
（ｅ）第１のカチオン流路に配置された貫流型の第１のイオン交換媒体、
（ｆ）第１のアニオン流路に配置された貫流型の第２のイオン交換媒体、及び
（ｇ）長さが第１の精製流路の長さ以内でかつ該流路と同じ広がりを有する領域であって、貫流型のイオン交換媒体を含まないか、又は第１及び第２のイオン交換媒体の２５％より大きくないイオン交換能を有する貫流型のイオン交換媒体を有する領域。
【請求項２】
領域が実質的に貫流型のイオン交換媒体を含まない、請求項１に記載の精製装置。
【請求項３】
第１の精製流路が実質的に貫流型のイオン交換媒体を含まない、請求項１に記載の精製装置。
【請求項４】
第１のイオン交換媒体及び第２のイオン交換媒体が交換可能なカチオン及びアニオンの混合物を有する媒体を含む、請求項１に記載の精製装置。
【請求項５】
以下の工程を含む、水流から荷電した汚染物を除去することによって水流を精製する方法：
（ａ）精製流路の一方の側面に沿って配置された交換可能なカチオンを有するカチオン交換膜と、精製流路の他方の側面に沿って配置された交換可能なアニオンを有するアニオン交換膜とによって規定される精製流路を通って水流を流す工程、アニオン交換膜とカチオン交換膜は大きな液体流を阻止するが対応する交換可能なイオンと同じ電荷のイオンを通過させ、長さが精製流路の長さ以内でかつ該流路と同じ広がりを有する領域は貫流型のイオン交換媒体を含まないか、又は第１及び第２のイオン交換媒体の２５％より大きくないイオン交換能を有する貫流型のイオン交換媒体を有し、
（ｂ）精製流路から水流を、カチオン交換膜の反対側にあるカチオン流路中の第１のイオン交換媒体を通って流す工程、
（ｃ）精製流路から水流を、アニオン交換膜の反対側にあるアニオン流路中の第２のイオン交換媒体を通って流す工程、及び
（ｄ）工程（ａ）、（ｂ）及び（ｃ）において、カチオン流路と電気的に接続しているカソードとアニオン流路と電気的に接続しているアノードとの間に電位を供給する工程。
【請求項６】
領域が実質的に貫流型のイオン交換媒体を含まない、請求項５に記載の方法。
【請求項７】
以下を含む、分析システムへ流すための水性液体流を精製する装置：
（ａ）入口と出口を有する貫流型の水精製装置、
（ｂ）精製装置の入口に連結する未精製水の加圧した水源、
（ｃ）分析用ポンプ、
（ｄ）ポンプと精製装置の出口の間に配設された第１の導管、
（ｅ）未精製水源と精製装置の出口との間、又は精製装置の出口と分析用ポンプとの間に配置された分流出口を有する液体流分流器、該分流器は分流器の入口に流入する液体流を第１の流れと第２の流れに分ける、及び
（ｆ）分流出口と精製装置の間の流体的な結合を提供する第２の導管。
【請求項８】
未精製の水源と精製装置との間に分流器が配置され、該精製装置が以下を含む、請求項７に記載の装置：
（ｇ）交換可能なカチオンを有する第１のカチオン交換膜及び交換可能なアニオンを有する第１のアニオン交換膜、両者の膜は内壁と外壁を有し、第１のカチオン膜と第１のアニオン膜の内壁はそれらの間に第１の精製流路を規定し、第１のカチオン交換膜と第１のアニオン交換膜は大きな液体流を阻止するが対応する交換可能なイオンと同じ電荷のイオンを通過させ、
（ｈ）第１のカチオン交換膜の外部側壁に第１のカチオン流路を規定する第１のカチオン室、
（ｉ）第１のアニオン交換膜の外部側壁に第１のアニオン流路を規定する第１のアニオン室、
（ｊ）第１のカチオン流路及び第１のアニオン流路とそれぞれ電気的に接続したカソード及びアノード、
（ｋ）第１のカチオン流路に配置された貫流型の第１のイオン交換媒体、
（ｌ）第１のアニオン流路に配置された貫流型の第２のイオン交換媒体、及び
（ｍ）長さが第１の精製流路の長さ以内でかつ該流路と同じ広がりを有する領域であって、貫流型のイオン交換媒体を含まないか、又は第１及び第２のイオン交換媒体の２５％より大きくないイオン交換能を有する貫流型のイオン交換媒体を有し、かつ第２の導管がカチオン及びアニオン室と分流出口との間の流体的な結合を提供する領域。
【請求項９】
分析システムがクロマトグラフィーシステムであり、かつ分析用ポンプがクロマトグラフィー用ポンプである、請求項７に記載の装置。
【請求項１０】
以下を含む、未精製の水性液体流を精製しかつ該液体流を分析システムへ流す方法：
（ａ）加圧した水源から入口と出口を有する精製装置を通って未精製の水流を流すことによって未精製の水流を精製する工程、
（ｂ）精製装置の出口からの精製した水性流を分析用ポンプを通って流す工程、
（ｃ）加圧した水源と精製装置との間の未精製水性流を分流して、未精製水性流の一部のみを精製装置で精製するか、又は精製装置の出口からの精製した水性流を分流して、精製した水性流の一部のみを分析用ポンプに流す工程。
【請求項１１】
精製した水性流が分析用ポンプへ流れる前に分析システムの貯蔵器を通って流れる、請求項１０に記載の方法。
【請求項１２】
精製工程（ａ）が以下の工程によって行われる、請求項１０に記載の方法：
（ｄ）精製流路の一方の側面に沿って配置された交換可能なカチオンを有するカチオン交換膜と、精製流路の他方の側面に沿って配置された交換可能なアニオンを有するアニオン交換膜とによって規定される精製装置の精製流路を通って未精製の水性流を流す工程、アニオン交換膜とカチオン交換膜は大きな液体流を阻止するが対応する交換可能なイオンと同じ電荷のイオンを通過させ、長さが精製流路の長さ以内でかつ該流路と同じ広がりを有する領域は貫流型のイオン交換媒体を含まないか、又は第１及び第２のイオン交換媒体の２５％より大きくないイオン交換能を有する貫流型のイオン交換媒体を有し、
（ｅ）精製流路から水性流を、カチオン交換膜の反対側にあるカチオン流路中の第１のイオン交換媒体を通って流す工程、
（ｆ）精製流路から水性流を、アニオン交換膜の反対側にあるアニオン流路中の第２のイオン交換媒体を通って流す工程、及び
（ｇ）工程（ｄ）、（ｅ）及び（ｆ）において、カチオン流路と電気的に接続しているカソードとアニオン流路と電気的に接続しているアノードとの間に電位を供給する工程。
【請求項１３】
未精製の液体流をそれが精製装置の入口へ流れる前に分流し、分流した部分をカチオン及びアニオン交換流路を通って流す、請求項１２に記載の方法。
【手続補正２】
【補正対象書類名】明細書
【補正対象項目名】００１４
【補正方法】変更
【補正の内容】
【００１４】
一般論としては、水流から荷電した汚染物を除去する精製装置は以下の構成を含む：
（ａ）交換可能なカチオンを有する第１のカチオン交換膜及び交換可能なアニオンを有する第１のアニオン交換膜、両者は内壁と外壁を有し、第１のカチオン膜と第１のアニオン膜の内壁はそれらの間に第１の精製流路を規定し、第１のカチオン交換膜と第１のアニオン交換膜は大きな液体流を阻止するが対応する交換可能なイオンと同じ電荷のイオンを通過させ、
（ｂ）第１のカチオン交換膜の外部側壁に第１のカチオン流路を規定する第１のカチオン室、
（ｃ）第１のアニオン交換膜の外部側壁に第１のアニオン流路を規定する第１のアニオン室、
（ｄ）第１のカチオン流路及び第１のアニオン流路とそれぞれ電気的に接続したカソード及びアノード、
（ｅ）第１のカチオン流路に配置された貫流型の第１のイオン交換媒体、及び
（ｆ）第１のアニオン流路に配置された貫流型の第２のイオン交換媒体。
長さが第１の精製流路の長さ以内でかつ該流路と同じ広がりを有する領域であって、貫流型のイオン交換媒体を含まないか、又は第１及び第２のイオン交換媒体の２５％より大きくないイオン交換能を有する貫流型のイオン交換媒体を有する領域を、第１の精製流路は含む。精製流路の能力が増加すると消耗電流も増加する。消耗電流が増加すると、装置の電流高率はもはや良好ではなく、所与の流れを脱イオン化するためにより高い電流が必要となる。
“貫流型”という用語は、流路中の媒体であってその中を液体が通過するが流路を規定する膜は通過しないものを意味する。
【手続補正３】
【補正対象書類名】明細書
【補正対象項目名】００２３
【補正方法】変更
【補正の内容】
【００２３】
これらのスクリーン及びスクリーンをイオン交換型に機能化するのに適切な技術は周知であり、これらの特許に記載されている。必要があれば、他の形式の貫流型イオン交換媒体又は充填材を使用することができる。例えば、イオン交換粒子を装置内に保持するための構造を含む流路２０及び２２にイオン交換粒子を充填することができ、例えば米国の'０９８号特許又は'３６０号特許に記載されているように、使用するイオン交換樹脂粒子より小さい孔を両端に有する多孔性ポリマー支持体を使用することによって、充填することができる。又は、貫流用の孔を有するイオン交換材料のモノリスを使用することもできる。